(57)【要約】【課題】本発明は、ユーザに対する図面データの配信サービスを通じて、当該図面データの提供者に対し、該当商品のマーケティング動向を容易に示すことができる図面データの提供サービスを実行するためのプログラムを提供することにある。【解決手段】コンピュータを、提供者から送信された図面データをデータベース１２に保存するための記憶手段７、前記データベース１２に保存された各図面データのうち、所望の図面データをユーザに対して配信できるように、該ユーザに対して図面データのリスト１０５を掲示する表示手段１１、当該各図面データのユーザに対する配信回数を、予め設定した期間内においてカウントし、その合計回数を集計結果としてデータベース１２に記録する集計手段、前記集計結果を提供者に通知するための送信手段、として機能させることを特徴とする。【選択図】      図３
2004302933.tif 000002
【特許請求の範囲】
【請求項１】
コンピュータを、
提供者から送信された図面データをデータベース（１２）に保存するための記憶手段（７）、
前記データベース（１２）に保存された各図面データのうち、所望の図面データをユーザに対して配信できるように、該ユーザに対して図面データのリスト（１０７）を掲示する表示手段（１１）、
当該各図面データのユーザに対する配信回数を、予め設定した期間内においてカウントし、その合計回数を集計結果としてデータベース（１２）に記録する集計手段、
前記集計結果を提供者に通知するための送信手段（９）、
として機能させることを特徴とする図面データの配信サービスを実行するためのプログラム。
【請求項２】
前記表示手段（１１）は、ユーザに対する図面データの配信時において、当該ユーザに係る情報の入力を促すアンケート機能（１１５）を具備していることを特徴とする請求項１記載の図面データの配信サービスを実行するためのプログラム。
【請求項３】
前記アンケート機能（１１５）には、提供者側の入力によって、ユーザに対するアンケート項目の追加・変更が自在に行なえる編集機能（１１２１）を具備していることを特徴とする請求項２記載の図面データの配信サービスを実行するためのプログラム。
【発明の詳細な説明】
【０００１】
【発明の属する技術分野】
本発明は、提供者からの図面データをサーバに保管し、このサーバにインターネット網を介してアクセスしたユーザに対して前記図面データを配信するサービスに関し、さらに詳しくは、この図面データの配信サービスを実行するためのプログラムに関するものである。
【０００２】
【従来の技術】
例えば、土木建設事業などにおいては一般的に、施工後の景観の完成予想図が作成されており、この完成予想図は、近年、コンピュータグラフィック（以後、ＣＧと記す。）によって描かれることが多い。そして、前記完成予想図を作成する際には、この景観を構成する商品メーカや、或いは、当該商品メーカから許可を得たソフトウェア制作会社が提供している市販の図面データを利用することが多い。
【０００３】
【発明が解決しようする課題】
しかしながら図面データの配布においては、前述した商品メーカやソフトウェア制作会社が、例えば、ＣＤ−ＲＯＭやＭＯ等の記憶媒体に図面データを記録して店頭などで販売するか、或いは、前記商品メーカやソフトウェア制作会社が自社サーバを設置し、この自社サーバからインターネット網を介してユーザに対し、所望の商品の図面ファイルを、当該ユーザの所有端末にダウンロードしてもらうものが通例であった。
【０００４】
また、このような図面データの配信サービスについては、商品メーカ側が、ユーザに対する自社商品の販売促進活動の一環として提供する場合が多く、このことから、実際の商品に基づいて図面データを生成する手間の割には、商品メーカ側が得られるメリットが大変少ないものであった。このような現状を鑑みて、商品メーカ側が、図面データの配信サービスをより一層有効に活用できる方法を模索するものであった。
【０００５】
本発明は、ユーザに対する図面データの配信サービスを通じて、当該図面データの提供者に対し、該当商品のマーケティング動向を容易に示すことができる図面データの提供サービスを実行するためのプログラムを提供することにある。
【０００６】
【課題を解決するための手段】
本発明のうち請求項１記載の発明は、コンピュータを、提供者から送信された商品の図面データを保存するための記憶手段、前記記憶手段に保存された各図面データのうち、所望の図面データをユーザに対して配布できるように、該ユーザに対して図面データのリストを提示する表示手段、当該各図面データのユーザに対する配信回数を、予め設定した期間内においてカウントする集計手段、前記集計結果を提供者に通知するための送信手段、として機能させることを特徴とする。
【０００７】
ここで言うユーザとは、図面データを配信される側の立場の者を意味し、図面データの提供者と区別するものである。また図面データとは、ＣＧの制作において、ユーザが作図アプリケーションを用いてコンピュータ上で利用できる全てのファイル形式で生成されたデータを意味するものであり、具体的には、ｆｍｚ、ｄｘｆ、ｄｗｇ、ｅｐｓ、ｊｐｇ等が挙げられる。さらに表示手段とは、管理サーバにアクセスしたユーザに対して、当該管理サーバに保管されている各図面データを、ユーザの端末のディスプレイ上に視覚的に表示できる手段である。また送信手段としては、コンピュータをインターネット網に接続できる手段であればよいから、例えば、モデム装置や或いはＬＡＮポート等が挙げられる。さらに、ユーザへの図面データの配信回数を集計する手段としては、例えば、図面データのダウンロードプログラムにおいて、ダウンロード回数のカウントを行なうためのプログラムを記述したり、或いは、別途表計算アプリケーション等をロードする方法が考えられる。
【０００８】
このように形成すると、例えば、ユーザからインターネット網を介してサービス提供者側の管理サーバにアクセスされ、さらに、前記管理サーバに保管する各図面データを掲示したリストの中から、当該ユーザの所望する図面データをダウンロードされた際に、管理サーバ側では、該当する図面データのダウンロード回数を１回カウントし、さらに、ダウンロードが行われる毎に、このカウント数を順次データベースに蓄積していくと共に、図面データの提供者に対しては、予め設定した期間内において集計された該当図面データのカウント数を通信手段を介して通知することになる。
【０００９】
本発明のうち請求項２記載の発明では、前記表示手段は、ユーザに対する図面データの配信時において、当該ユーザに係る情報の入力を促すアンケート機能を具備しているので、このアンケート結果を受け取った提供者側では、自社商品のユーザ層の詳細を具体的に把握できる。
【００１０】
ここでアンケート機能とは、ユーザが図面データを受け取る際に、自身の情報を入力できる手段であればよく、具体的には、ユーザの端末のディスプレイにアンケートページ画面を表示し、このページに示された質問項目に対して選択式にチェック入力してもらったり、或いは、質問項目に対して情報を入力してもらう形態のものなどが挙げられる。
【００１１】
本発明のうち請求項３記載の発明は、前記集計手段には、提供者側の入力によって、ユーザに対するアンケート項目の追加・変更が自在に行なえる編集機能を具備しているので、商品メーカ側が特に必要としている自社商品におけるユーザの情報について、より的を絞った形で入手することができる。
【００１２】
ここで、提供者側の入力によってアンケート項目の追加・変更を行なう手段としては、具体的に、提供者のディスプレイに対して「カスタマイズページ画面」を掲示し、当該提供者側において所定の項目記入欄に質問事項の入力を促し、さらに、その内容でよければ前記記入データ（例えば、テキストデータ等）をアップロードしてもらう構成のものが挙げられる。
【００１３】
【発明の実施の形態】
本発明の実施形態を各図面を参照して詳細に説明する。
図１と図２は、本発明の実施形態のシステム構成を示すものである。そして、本システムにより稼働する本発明の調査データ作成プログラムは図３のシーケンスフローのように、インターネット網Ｗに接続された管理サーバ１内にデータベース１２を構築し、このデータベース１２において提供者から図面データをアップロードされることで提供を受けるものであり、さらに、このデータベース１２に対してユーザは、ブラウザを実装した端末２から管理サーバ１にアクセスして所望の図面データを入手し、一方、管理サーバ１側では、前記ユーザへの図面データの配布数を順次カウントして、得られたカウント数の集計データを前記提供者側の端末に転送する手順を踏むものである。
尚、本実施形態では、システムの説明に際して、提供者の使用手順とユーザ側の使用手順とに分けて、それぞれ行なうことにする。
【００１４】
「提供者からのアクセスについて」
ここでまず、提供者の端末３からインターネット網Ｗを介して管理サーバ１にアクセスされることで、当該管理サーバ１側が、どのように図面データの提供を受けるのかを各図面に基づいて詳しく説明する。
【００１５】
図４のトップページ画面１０１において、提供者から「提供者新規登録」ボタン１０２にクリックされると、まず管理サーバ１では図５に示すように、アカウントＩＤとパスワードを発行するための登録ページ画面１０３を提供者の端末３のディスプレイに表示する。そしてこの登録ページ画面１０３では、提供者側の各種情報（例えば、氏名や所属メーカ名、所在地、電話番号など。）を順次入力してもらい、各項目の入力後に会員情報が作成されれば、提供者の端末３に対して、電子メールなどでアカウントＩＤとパスワードを通知する。
【００１６】
そして、アカウントＩＤとパスワードを入手した提供者からトップページ画面１０１の中のアカウントＩＤ、及びパスワードの各入力項目への情報入力後に、「提供者ログイン」ボタン１０４をクリックされたなら、管理サーバ１側では、前記トップページ画面１０１で入力されたアカウントＩＤ及びパスワードと、事前に提供者から得ているアカウントＩＤおよびパスワードとを照合し、これが一致すれば、管理サーバ１へのログインを許可し、提供者の端末３のディスプレイに、提供者情報に変更がないかの確認のための登録確認ページ画面１０３を表示した後、提供する図面データの詳細情報（例えば、名称や商品カテゴリー、型番・材質、サムネイル設定の有無等。）の入力を促すアップロード画面１０５を表示し（図６参照。）、このページ１０５中の「参照」１０６という項目から提供者の端末３に存在する提供用の図面データをリストアップしてもらい、所定の図面データを管理サーバ１にアップロードしてもらう。
【００１７】
そして、前記図面データの提供を受けた管理サーバ１側では、この図面データをハードディスク装置７に保存してデータベース１２を更新する。また、このデータベース１２では、後述するが図８のような、図面データを一覧表示したリスト形式の一覧画面１０７をユーザの端末２のディスプレイに表示する。
【００１８】
「ユーザからのアクセスについて」
次に、ユーザの端末２からインターネット網Ｗを介して、管理サーバ１にアクセスし、どのように管理サーバ１のデータベース１２に保存された図面データを入手するのかを各図面に基づいて詳しく説明する。
【００１９】
まず、ユーザの端末２から管理サーバ１にアクセスがあった場合、該管理サーバ１ではユーザに対して、前述した提供者によるアクセスと同様にトップページ画面１０１を端末２のディスプレイに表示する。そしてユーザは、前記トップページ画面１０１の中から所望の図面データを入手するために、「３Ｄデータカテゴリー」１２２或いは「画像データカテゴリー」１２３の中の所定の項目（ここでは四阿・バーコラを選択。）を選択すると図８のように、図面データを入手するための一覧画面１０７が表示される。
【００２０】
ここで例えば、トップページ画面１０１の中の「詳細検索」ボタン１０８を指定する場合、管理サーバ１のデータベース１２内を検索するためのキーワードとなる例えば、商品の部位名称、建物要素等の商品分類項目の一覧を示す図７のような検索条件ページ１０９が表示される。そしてこの分類項目の内、所望の項目をチェックして検索実行ボタン１１０をクリックすると、前述した一覧画面１０７が表示される。さらに一覧画面１０７では、ユーザがチェックした項目に基づいて検索された図面データの一覧がサムネイル１１１と共に表示される。
尚、サムネイル１１１とは、任意のページ中に表示解像度が粗く、尚且つデータ容量の小さな該当図面データの出力された状態をプレビュー表示したものであり、これによりユーザは、視覚的で且つ容易に所望の図面データを選択することができる。
【００２１】
そして、この一覧画面１０７で、ユーザが所望する図面データを選択し、さらに、該当する図面データの詳細ボタン１１２をクリックすることで、図９のような詳細データ画面１１３が表示される。そして前記画面１１３において、当該ユーザが使用している作図用アプリケーションに対応するファイル形式（図中では、ｄｘｆ、ｆｍｚが示されている。）を選択して、いずれかのダウンロードボタン１１４をクリックし、この図面データをユーザの端末２にダウンロードする。
【００２２】
そして、ユーザから所望のファイル形式のダウンロードボタン１１４がクリックされた場合、所望図面データのダウンロードが行なわれる前の段階で、まず、図１０に示すようなアンケートページ画面１１５が表示される。このアンケートページ画面１１５には、例えば、入手した図面データの利用目的や、或いは、ユーザ個人の職種などの様々なユーザ情報を入力する項目を設置しており、後述で詳しくその手順を説明するが、これらの情報を提供者側に知らせるものである。しかも、このアンケートページ画面１１５は、ページ画面１１５中のスキップボタン１１６をユーザがクリックすることで、例えば、このサービスの継続ユーザによる本システムの再利用時において、過去に行なった登録情報に変更がなければ、そのまま省略でき、これによりユーザ側は、入力の煩わしさを解消できる構成となっている。
【００２３】
次に、得られたユーザ情報については、データベース１２で前記ユーザが入手した所望の図面データのダウンロード数をカウントし、さらに、管理サーバ１側で予め設定した１ヶ月間の同一商品カテゴリー内における、提供を受けた各図面データのダウンロード数の比較データ（平均値との比較）１１７、及び、該当図面データに対するユーザアンケートの集計結果データ１１８を、図１１（ａ）（ｂ）のような形式１１９により、提供者の端末３に対して電子メールで送信する。
【００２４】
ここで、ユーザアンケートの入力項目については、提供者側の端末３で自由に追加や変更ができ、この場合には、当該提供者はトップページ画面１０１の「提供者ログイン」ボタン１０４をクリックして、確認用の登録ページ画面１０３を開き、その中の「カスタマイズをする」１２５を選択することで、図１２のようなカスタマイズページ画面１２１を表示し、これを確認した提供者は、ユーザへの質問項目を適宜入力し、次いで、変更ボタンをクリックすることで、アンケートページ画面１１５の内容が更新される。
尚、前記カスタマイズや、或いは他の利用手順を提供者に知らせる手段として、トップページ画面１０１の「提供者利用案内」ボタン１２４をクリックすることで、視覚的に情報を得らえる。
【００２５】
以上、本プログラムの稼働について説明してきたが、ここで、このプログラムを稼働するコンピュータの構成説明を行なう。
このコンピュータは、ＣＰＵ４と、該ＣＰＵ４に接続される、ＲＯＭ５、ＲＡＭ６、ハードディスク装置７、ストレージ装置８、そして送信手段９としてのモデム装置及びＬＡＮポート、キーボード・マウスなどの入力装置１０によって構成するものである。そして、前記ストレージ装置８は、ハードディスク装置７から図面データやユーザ及び提供者登録データ等の各種データを読み取るとともに、ＣＤ−ＲＯＭやＭＯなどの記憶媒体に各種データ（図面データ、集計結果データ、提供者情報等。）を記憶するように構成されている。
尚、ディスプレイやプリンタ等の表示手段１１は、管理者側では管理サーバ１、或いは別の端末に備えてあり、例えば、各ページの編集作業等に利用される。一方、提供者・ユーザ側では、ページ画面を閲覧・所望図面データの確認を行なうための手段として利用される。
【００２６】
また、このコンピュータには、本プログラムがロードされており、当該本プログラムがコンピュータによって、図３のシーケンスフローに示すような手順で各種動作を実行されるようになっている。また、コンピュータには、表計算アプリケーション１３がロードされており、本プログラムによって生成された該当図面データのダウンロード数やアンケート結果等の各種データの処理を実行し、ここで生成された集計結果データは、このコンピュータのモデム装置或いはＬＡＮポート９からインターネット網Ｗを介して、提供者の端末３に電子メールで送信されることになる。
【００２７】
また本プログラムは、提供者側からの様々な図面データをデータベース１２に保存し、ユーザからの管理サーバ１へのアクセスによって、前記図面データを配信するものであるから、何度も再利用することが容易にできる。例えば、本プログラムを記録した記憶媒体から、当該プログラムをコンピュータで読み出して実行することにより、本プログラムを他のサーバに実現することができる。また、本プログラムを記録する手段としては、例えば、ＣＤ−ＲＯＭやＭＯ等のメディアが挙げられ、この結果、異なるシステム上であっても本プログラムをロードすることで容易に稼働できる。
【００２８】
また本実施形態では、土木建築作図用の図面データを取り上げて説明してきたが、それ以外に例えば、音楽データや或いはイラストデータ等についても取り扱うことができ、これに限るものではない。
【００２９】
【発明の効果】
本発明のうち請求項１記載の発明によれば、ユーザ側はサーバを介して提供者の図面データを入手でき、一方、提供者側は、提供した図面データにおけるユーザによるダウンロード数を知ることにより、ユーザのニーズを的確に把握できるので、今後の商品開発や販売計画に反映できる。
【００３０】
本発明のうち請求項２記載の発明によれば、請求項１記載の発明の効果に加えて、提供した図面データを所望するユーザに関し、提供者側がより具体的なユーザ情報を得られることで、対象商品のマーケティング動向を確実に把握できる。
【００３１】
本発明のうち請求項３記載の発明によれば、請求項２記載の発明の効果に加えて、ユーザに対するアンケート項目を提供者側で編集できることで、提供者側では、より一層確実に対象商品のマーケティング動向を把握できる。
【図面の簡単な説明】
【図１】本発明のシステム構成の例を示す説明図である。
【図２】同じく、本発明のシステム構成のうち、管理サーバの構成を示すブロック図である。
【図３】本プログラムの動作手順を説明するシーケンスフローである。
【図４】本発明によるトップページ画面を示す説明図である。
【図５】提供者情報の登録（登録確認）ページ画面である。
【図６】提供者からの図面データの管理サーバへのアップロード画面である。
【図７】図面データの検索画面である。
【図８】検索の後に表示される図面データの一覧画面である。
【図９】図８で選択された図面データの詳細画面である。
【図１０】ユーザに対するアンケート・ページ画面を示す説明図である。
【図１１】（ａ）（ｂ）
（ａ）は、提供者に対して所定期間内のユーザへの配信数を通知する際の集計結果を示した説明図であり、（ｂ）は、提供者に通知するユーザアンケートへの回答集を示した説明図である。
【図１２】提供者側に掲示されるカスタマイズページ画面を示す説明図である。
【符号の説明】
７  ハードディスク装置（記憶手段）
９  モデム装置・ＬＡＮポート（送信手段）
１１  出力装置（表示手段）
１２  データベース
１０７  一覧画面（リスト）
１１１  アンケート・ページ画面（アンケート機能）
１２１  カスタマイズページ画面（編集機能）
【図１】
2004302933.tif 000003
【図２】
2004302933.tif 000004
【図３】
2004302933.tif 000005
【図４】
2004302933.tif 000006
【図５】
2004302933.tif 000007
【図６】
2004302933.tif 000008
【図７】
2004302933.tif 000009
【図８】
2004302933.tif 000010
【図９】
2004302933.tif 000011
【図１０】
2004302933.tif 000012
【図１１】
2004302933.tif 000013
【図１２】
2004302933.tif 000014